(57)【要約】【課題】破壊されにくく、施錠忘れのない、自転車盗難防止装置の提供。【解決手段】自転車の所有者が自転車から離れたときに入力する入力部と、前記入力部からの入力信号に応答してクランクからの動力を切断するロック機構と、前記入力部の入力を解除する解除部とからなる自転車盗難防止装置であり、前記ロック機構は、チェーン・ホイールに組み合わされた遊動輪と、入力部からの入力信号により作動するチェーン掛け替え装置とよりなり、入力部からの入力信号によりチェーンが遊動輪に連結し、クランクからの動力を切断する。【選択図】  図４
2004196203.tif 000002
【特許請求の範囲】
【請求項１】
入力部と、ロック機構と、解除部を有する自転車盗難防止装置において、
前記ロック機構がクランクからの動力を切断し、チェーンおよび駆動輪にクランクからの動力が伝達されないことを特徴とする自転車盗難防止装置。
【請求項２】
前記ロック機構が、チェーン・ホイールに組み合わされた遊動輪と、入力部からの入力信号により作動するチェーン掛け替え装置とよりなる請求項１に記載の自転車盗難防止装置。
【請求項３】
前記入力部がスタンドロックに装着され、スタンド足を立てたときに入力する請求項１及び請求項２に記載の自転車盗難防止装置。
【請求項４】
前記解除部が車体を構成するパイプに内装された認識システムによりなる請求項１ないし請求項３のいずれかに記載の自転車盗難防止装置。
【発明の詳細な説明】
【０００１】
【発明の属する技術分野】
本発明は、自転車の盗難防止装置に関する。
【０００２】
【従来の技術】
自転車は乗りやすく、操作が簡便で、駐輪スペースも少なくてすむことから、通勤、通学、または買い物等に広く使用されている。その一方で、操作が簡単なことから、駐輪中に盗難に遭うことも多い。
【０００３】
このような盗難を防止するために、ボックス型ロックや馬蹄型ロック等の自転車用ロックをフロントまたはリヤフォークに取り付け、車輪をロックすることが行われている。しかしこれらの自転車用ロックは構造が簡単なため、容易に破壊、またはロックの解除が行われる。このため、電子回路を有する精巧な自転車盗難防止装置等が開発されている（例えば、特許文献1ないし３参照。）。
【０００４】
しかし前記の自転車盗難防止装置は、いずれも装置が自転車のハンドル等に外装されているため、破壊を防止することはできない。また、自転車の盗難は該防止装置の精度に拘らず、施錠忘れ等によることも多い。
【０００５】
さらに、盗難等に遭遇した場合に、一定の警報が発せられる装置も開発されている（例えば、特許文献1、特許文献２、特許文献４。）。しかし自転車の盗難は永続的に所有する意図がなく、便宜一時的に無断借用し、目的を達した後は放置される場合が多い。そのため警報が発せられても、前記一時的な使用を防止することは困難である。そして、この放置された自転車は、所有者にはその所在が不明で、有効な探索手段がないために盗難に遭遇したとされる。さらに、所有者のない放置自転車は駅周辺や繁華街の交通を阻害し、市街の美化上からも社会問題となっている。しかし前記問題に対しては有効な解決は得られていない。
【０００６】
【特許文献１】
特開平６−３０５４６３号公報
【特許文献２】
特開平８−２１６９４７号公報
【特許文献３】
特開２０００−６２６６３号公報
【特許文献４】
国際公開第ＷＯ９８／４７７５７号パンフレット
【０００７】
【発明が解決しようとする課題】
本発明は破壊されにくく、施錠忘れのない、自転車盗難防止装置を提供することを課題とする。
【０００８】
【課題を解決するための手段】
本発明の自転車盗難防止装置は、自転車の所有者が自転車から離れたときに入力する入力部と、前記入力部からの入力信号に応答してクランクからの動力を切断するロック機構と、前記入力部の入力を解除する解除部とからなり、前記ロック機構は、チェーン・ホイールに組み合わされた遊動輪と、入力部からの入力信号により作動するチェーン掛け替え装置とよりなり、入力部からの入力信号によりチェーンが遊動輪に連結し、クランクからの動力を切断する。
【０００９】
【発明の実施の形態】
本発明は前記の通り、入力部と、ロック機構と、解除部からなるものであるが、以下にその詳細を図１に基づき説明する。
【００１０】
＜入力部＞
図１は本発明にかかわる自転車の概観図である。入力部は自転車の所有者が自転車から離れる時に入力できるものであれば，いかなる方式でもよいが、入力忘れを効果的に防止する観点からは、駐輪のためにスタンド１０を所定の位置に立てたときに入力する方式が好ましい。なかでもスタンド１０を所定の位置に立てたときにスタンドロック部１２に設けられた入力ボタンの挿込みにより入力される方式や、スタンドを立てたときにスタンドに内装されたケース内のボールが落下することにより入力される方式が好ましい。構造が簡易で、入力部の破壊を効果的に防止することができる点から、入力ボタンの挿込による方式がより好ましい。前記入力部は、一旦入力されると、解除機構が作動するまでは入力が解除されないことが盗難防止の上から必要である。
【００１１】
＜ロック機構＞
本発明のロック機構は、クランク２２が回転しても、前記入力部の入力によりチェーン２３および後部ギヤ２４が作動せず、自転車の走行を不可能とするものである。具体的にはチェーン・ホイール（駆動輪）に組合された空転するチェーン・ホイール（遊動輪）と、前記入力部の入力によりチェーン位置をスライドさせるチェーン掛け替え装置からなり、前記入力部からの入力によりチェーンは駆動輪から遊動輪に掛け替わる。これによりクランクが回転しても、その動力は遊動輪により空転しチェーンおよび後部ギヤに伝達されず、自転車は走行することができない。チェーンの掛け替え装置はシートチューブ３２に装着されたソレノイドのプランジャーの一端にチェーン掛け替え部を有してなり、入力部からの入力信号によりプランジャーが作動して、チェーン掛け替え部が駆動輪の上の位置から遊動輪の上の位置にスライドすることにより行われる。
【００１２】
本発明のロック機構によれば、ロック機構が破壊されてもチェーンが弛み、チェーンはチェーン・ホイールに緊着せず自転車の走行は不可能となる。従って、従来のフロントまたはリヤフォークに取付けられたロック機構が、破壊により容易に走行が可能とはなるのとは異なり、「一時的な無断借用」を効果的に防止することができる。
【００１３】
前記解除部は、前記スタンド入力部の入力を解除するもので、解除の方式としてはあらかじめ登録された記号等を入力することにより解除する公知の認識システムを用いることができる。盗窃者からの破壊から該解除部を保護するためには、該認識システムは車体を構成するパイプに内装され、認識システムの入力ボタンがパイプ外面に表出し、該ボタンの操作を認識するシステムが好ましい。
【００１４】
なお、前記入力部、解除部、およびこれらを連結する連結コードとバッテリーは、盗窃者からの破壊から保護するために、車体を形成するパイプフレーム等に内蔵されていることが好ましい。
【００１５】
【実施例】
以下に、本発明の具体例を実施例で示すが、本発明は下記の実施例に限定されるものではない。
はじめに本発明の実施例にかかわる自転車盗難防止装置の概観を、図１を用いて説明する。
図１は自転車の全体図である。本実施例の入力部１４はスタンド１０のスタンドロック１２に設けられたスイッチボタンとマイクロスイッチとにより構成されている。ロック機構２０は、チェーン・ホイール（以下駆動輪という。）２５に組み合わされた空転するチェーン・ホイール（以下遊動輪という。）と、シートチューブ３２に装着されたスライド式のチェーン切替え装置により構成される。解除部はフレームのトップチューブ４２に内装された認識システムからなり、該認識システムのプッシュボタン４５がトップチューブ４２上に形成される。バッテリー７０はサドル７２の内部、または下部に形成される。また、バッテリー７０と、入力部１１と、ロック機構２０と、解除部４０とを接続する回路は車体を構成するパイプ内に配置される。
【００１６】
本実施例の入力部１１の詳細を図２および図３に示す。図２はスタンド（一本足）１０の全体図である。また図３は本実施例の入力部の内部構造を示す断面図である。入力部１４はスタンドロック１２に装着される。スタンドを立てることによりスタンド足１３がスタンドロック１２から突起した入力ボタン１６を押圧すると、スイッチ片１８aがマイクロスイッチ１８と接触し、マイクロスイッチ１８がオン状態になる。マイクロスイッチ１８は電磁コイル１９を有し、スタンド足１３が走行位置まで戻されても解除部からの解除信号がない限り入力は解除されない。
【００１７】
図４は本実施例のロック機構の全体を示す斜視図である。また、図５は本実施例のロック機構の正面図であるが、チェーンは図示されていない。本実施例のロック機構２０は駆動輪２５に組み合わされた遊動輪２６と、スライド式のチェーン切替え装置３０により構成される。遊動輪２６はクランク２２の動力を受け駆動する駆動部２６ｂの外周に、遊動する遊動部２６ａが配置されてなる。駆動部２６ｂと遊動部２６ａとの間の抵抗は、チェーン２３からの負荷が小さいときは遊動部２６ａが駆動部と一体として回転するが、自転車に人が乗るほどの負荷がかかると空転する程度に調整される。
【００１８】
チェーン切替え装置３０はシートチューブ３２に装着されるソレノイド３４と、該ソレノイドのプランジャ３４aの一端に形成されるチェーン切替え部３５とよりなる。プランジャ３４aが入力部１１からの入力信号により作動することにより、チェーン切替え部３５が駆動輪２５の上の位置から遊動輪２６の上の位置に移動する。その結果クランク２２を回転させると、チェーン２３は駆動輪２５から遊動輪２６に掛け替わり、クランク２２からの動力は遊動輪２６により空転しチェーン２３には伝達されない。
【００１９】
解除部はフレームのトップチューブ３２に内装された認識システムからなり該認識システムのボタン４３がトップチューブ上に形成される。
図６は本発明の実施例に係る自転車盗難防止装置の構成を示すブロック図である。４５はプッシュボタンからなる暗唱番号入力部、４６は暗唱番号の設定と解除を切り換える切換スイッチ、１８は図３に示す入力部１４におけるマイクロスイッチである。
【００２０】
４０は解除信号出力回路であり、暗唱番号入力部４５とマイクロスイッチ１８からの信号を入力するアンドゲート５１と、切換スイッチ４６とマイクロスイッチ１８からの信号を入力するアンドゲート５３と、アンドゲート５１の出力信号をクロック入力に入力し更にアンドゲート５３の出力信号をアップカウントとダウンカウントを決定するＵ／Ｄ入力に入力するアップダウンカウンタ５５と、その出力信号をクロック入力に入力しマイクロスイッチ１８からの信号をインバータ５７を介してリセット入力Ｒに入力すると共にデータ入力ＤがＨレベルに接続されたフリップフロップ（以下「ＦＦ」と略称する）５９と、から構成されている。
【００２１】
３０は図４に示すロック機構であり、入力部および解除部の信号に応答してロック又はロック解除するものである。
【００２２】
次に上記構成からなる本実施例の自転車盗難防止装置の動作を説明する。本実施例においては、スタンドを立てるとマイクロスイッチ１８がオン状態になり、入力部からの信号がＨレベルになると、その立ち上がりに同期してＦＦ５９の出力ＱがＨレベルになる。このＦＦ５９からの出力ＱがＨレベルになると、ロック機構３０はソレノイドを作動させてチェーン切替え部を遊動輪の上の位置にセットし、クランクからの動力を遊動輪に伝え動力を切断する。
【００２３】
本実施例におけるアップダウンカウンタ５５は、そのＵ／Ｄ入力にＨレベルの信号が印加されているときにアップカウントし、Ｌレベルの信号が印加されているときにダウンカウントするように設定されている。従って、マイクロスイッチ１８がオン状態のときに切換スイッチ４６をオン状態にすると、アンドゲート５３の出力がＨレベルになり、アップダウンカウンタ５５はアップカウント、即ち暗唱番号設定状態になる。この状態のときに、暗唱番号入力部４５を操作すると、アップダウンカウンタ５５はその操作回数だけカウント値をアップカウントし、暗唱番号（即ち操作回数）を設定することができる。
【００２４】
このアップダウンカウンタ５５の出力Ｂは、カウント内容が零又は初期値になるとＨレベルになるように設定されているため、そのカウントをアップカウントさせると出力ＢはＬレベルになる。この状態において、アップダウンカウンタ５５の出力がＨレベルに立ち上がらなければＦＦ５９の出力ＱがＨレベルになることはないので、スタンドを上げてもＦＦ５９の出力Ｑからの解除信号はＨレベルにはならず、ＦＦ５９の出力ＱはＨレベルに保持される。従って、チェーン切換え部はロック状態の位置にあり、クランクからの動力はチェーンに伝達されない。
【００２５】
上記のようにアップダウンカウンタ５５に暗唱番号を設定し、その後ロックを解除するには、はじめに切換スイッチ４６をオフ状態にする。これによりアンドゲート５３が閉状態になり、アップダウンカウンタ５５のＵ／Ｄ入力にＬレベルの信号が印加されることになる。このため、アップダウンカウンタ５５はダウンカウント、即ちロック装置の解除状態になる。ここで、暗唱番号入力部４５を操作すると、アップダウンカウンタ５５は設定された暗唱番号の数から操作回数だけダウンカウントすることになる。そして、暗唱番号入力部４５の操作回数が暗唱番号設定時と等しくなると、アップダウンカウンタ５５のカウント値が零又は初期値になり、その出力ＢがＨレベルになる。アップダウンカウンタ５５の出力信号がＨレベルになると、その立ち上がりに同期してＦＦ５９はその出力ＱをＨレベルにする。このようにＦＦ５９からの解除信号がＨレベルになると、これをリセット入力Ｒに入力するＦＦ５９はリセットされ、その出力Ｑからの出力をＬレベルにする。これにより、ロック機構３０はロックを解除し、チェーン切換え部を駆動輪の上の位置に移動する。
【００２６】
【発明の効果】
本発明によれば、駐輪のためにスタンドを立てると、自動的に自転車はロック状態になり施錠忘れがなく、ロック状態の自転車はクランクからの動力を駆動輪に伝達できないため「一時的な無断借用」を確実に防止することができる。また入力部、および解除部は破壊から効果的に保護される。
【図面の簡単な説明】
【図１】本発明の自転車盗難防止装置の概観を示す説明図である。
【図２】スタンド(一本足)の全体図である。
【図３】本実施例の入力部の内部構造を示す断面図である。
【図４】本実施例のロック機構を示す斜視図である。
【図５】本実施例のロック機構を示す正面図である。
【図６】本実施例の構成を示すブロック図である。
【符号の説明】
１０    スタンド
１２    スタンドロック
１３    スタンド足
１４    入力部
１６    入力ボタン
１８    マイクロスイッチ
２０    ロック機構
２２    クランク
２５    チェーン・ホイール(駆動輪)
２６    空転するチェーン・ホイール(遊動輪)
３０    チェーン切換え部
３２    シートチューブ
３４    ソレノイド
３５    チェーン切換え部
４０    解除信号出力回路
４５    暗証番号入力部
４６    切換えスイッチ
【図１】
2004196203.tif 000003
【図２】
2004196203.tif 000004
【図３】
2004196203.tif 000005
【図４】
2004196203.tif 000006
【図５】
2004196203.tif 000007
【図６】
2004196203.tif 000008